(57)【要約】【課題】  商品販売などに適した会員ネットワーク作成プログラムを提案すること。【解決手段】  コンピュータプログラムを実行することにより、一人の会員（あなた）による一人目の紹介者がサイド（Ａライン）に、二人目がダウン（Ｂライン）に登録され、それぞれシーダーＡおよびシーダーＢとされ、会員ネットワークの基本となるシーダーユニットが構成される。Ａライン上の各シーダーＡがシーダーユニットを構築することにより、また、Ｂライン上の各レベルの各シーダーＢがシーダーユニットをそれぞれ構築することにより、会員ネットワークが拡大していく。各会員には、ＡラインおよびＢラインにより決まるレベルに応じて商品購入にあたりボーナスが還元される。【選択図】  図２
2005044228.tif 000002
【特許請求の範囲】
【請求項１】
コンピュータを、
第１の会員の紹介により加入した一人目の会員が多層レベルを表すＡライン上の最も高いレベルの会員（以下、シーダーＡと呼ぶ）として登録する手段と、
前記第１の会員の紹介により加入した二人目の会員が前記Ａラインの最高レベルよりも一段階だけ低いレベルから始まる多層レベルを表すＢライン上における最も高いレベルの会員（以下、シーダーＢと呼ぶ）として登録する手段と、
前記第１の会員、前記シーダーＡおよび前記シーダーＢからなるシーダーユニットを会員毎に形成する手段と、
各会員に、前記Ａラインのレベルおよび前記Ｂライン上のレベルに応じて、報酬などの特典ポイントを付与する手段
として機能させるための会員ネットワーク作成プログラム。
【請求項２】
請求項１において、
前記第１の会員の紹介により加入した三人目以降の会員が、それぞれ、新たなＢライン上における第１レベルのシーダーＢとして登録され、各シーダーＢによりシーダーユニットが形成されている会員ネットワーク作成プログラム。
【請求項３】
請求項１または２において、
前記第１の会員に付与される特典ポイントには、前記ＡおよびＢライン上における第１レベルから第４レベルまでが考慮される会員ネットワーク作成プログラム。
【発明の詳細な説明】
【技術分野】
【０００１】
本発明は、商品販売などに利用される会員ネットワークを作成するためのプログラムに関するものである。
【背景技術】
【０００２】
各種の健康食品、健康飲料などが市場に出回っているが、これらの効用については実際に飲用した人でないと分からないのが実情である。従って、商品を実際に試してその効果について確証を得た人が会員となって商品販売を行うことが、このような商品のマーケティングとして適している。
【発明の開示】
【発明が解決しようとする課題】
【０００３】
本発明の課題は、健康食品や健康飲料などの販売促進のために適した新しいシステムによる会員ネットワークを作成するためのプログラムを提案することにある。
【課題を解決するための手段】
【０００４】
本発明の会員ネットワーク作成プログラムでは、コンピュータを用いて、
第１の会員の紹介により加入した一人目の会員を多層レベルを表すＡライン上の最も高いレベルの会員（以下、シーダーＡと呼ぶ）として登録させ、
前記第１の会員の紹介により加入した二人目の会員を前記Ａラインの最高レベルよりも一段階だけ低いレベルから始まる多層レベルを表すＢライン上における最も高いレベルの会員（以下、シーダーＢと呼ぶ）として登録させ、
前記第１の会員、前記シーダーＡおよび前記シーダーＢからなるシーダーユニットを会員毎に形成させ、
各会員には、前記Ａラインのレベルおよび前記Ｂライン上のレベルに応じて、報酬などの特典ポイントを付与させるようにしている。
【０００５】
ここで、前記第１の会員の紹介により三人目以降の会員が加入した場合には、それらの会員を、それぞれ、新たなＢライン上における第１レベルのシーダーＢとして登録し、各シーダーＢによりシーダーユニットを形成すればよい。
【０００６】
また、前記第１の会員に付与される特典ポイントには、前記Ｂライン上における第１レベルから第４レベルまでを考慮するように構成することができる。
【発明の効果】
【０００７】
本発明の会員ネットワーク作成プログラムでは、シーダーユニットがＡラインおよびＢラインに沿って多数形成され、全体として多層レベルの会員ネットワークが構築され、各レベルに応じて特典ポイントが付与される。従って、例えば、会員ネットワークを経由して各種商品が販売されると、各会員は付与された特典ポイントに応じた報償金を受け取るなど、販売促進に適したシステムを簡単に構築できる。
【発明を実施するための最良の形態】
【０００８】
以下に、図面を参照して、本発明を適用した会員ネットワークの実施の形態を説明する。
【０００９】
図１は本実施の形態に係る会員ネットワークの基本ユニット（シーダーユニット）を示す説明図である。本実施の形態では、一人が二人の人を紹介し、それぞれが二人の輪をつないでいくことで、販売商品に共鳴する幅広い会員ネットワークを作成することを目的とするものである。また、これら三人を基本とする輪が繋がっていくことが報酬に反映するように構成することを目的とするものである。
【００１０】
図に示すように、一人の会員（あなた）による一人目の紹介者がサイド（Ａライン）に、二人目はダウン（Ｂライン）に登録され、それぞれシーダーＡおよびシーダーＢになる。これら三人によりシーダーユニットが構成される。Ａラインは多層のレベルからなるラインであり、ＢラインはＡラインの最高レベルより一段低いレベルを最高レベル（第１レベル）として、第２、３、４・・・と順次低くなる多層レベルのラインである。図２には、各シーダーＡ、Ｂが中心となって新たなシーダーユニットを形成した状態を示してある。このように、Ａライン上の各シーダーＡがシーダーユニットを構築することにより、また、Ｂライン上の各レベルの各シーダーＢがシーダーユニットをそれぞれ構築することにより、会員ネットワークが拡大していく。図３にはこのようにして拡大した会員ネットワークを示してある。
【００１１】
ここで、各会員の特典ポイントを、例えば、商品を継続購入することで、毎月還元されるボーナスとすることができる。このボーナスは、例えば、Ａ、Ｂライン共に最大第４レベルまでを受け取ることができる。また、シーダーユニットＡおよびＢの双方を形成することで還元額が増加するようになっている。例えば、図４に示すように、シーダーユニットＡのみの場合には、会員（あなた）に還元されるレベルボーナスは３９００円であり、シーダーユニットＢのみの場合には、３２００円である。これに対して、シーダーユニットＡ、Ｂの双方が形成されている場合には、図５に示すように、５５００円がボーナスとして還元されることになる。図６にはレベルボーナスの一例を纏めて示してある。
【００１２】
また、例えば、ダブルボーナスのシステムを付加することも考えられる。図７を参照して説明すると、ダブルボーナスはＡラインのシーダーをつなげることで還元されるボーナスであり、Ａラインのつながりが受給条件の人数を満たした月に一時金として支払われる。受給条件の人数はアクティブなシーダーのみがカウントされる。アクティブとは、商品の継続購入を行っている会員である。この図に示すように、ダブルボーナスでは、受給資格の発生した月の、会員（あなた）のＢライン方向の全ての直紹介者から派生するレベルボーナスのうち、該当するレベルのボーナスが獲得できる内容となっている。すなわち、次の通りである。
【００１３】
Ａライン５人目：会員（あなた）の持つ全てのＢラインの第１レベルと同額を獲得
Ａライン１０人目：会員（あなた）の持つ全てのＢラインの第１および第２レベルと同額を獲得
Ａライン１５人目：会員（あなた）の持つ全てのＢラインの第１、２、３レベルと同額を獲得
Ａライン２０人目：会員（あなた）の持つ全てのＢラインの第１〜４レベルと同額を獲得
【００１４】
なお、本例の会員ネットワークでは、三人目以降の直紹介者の場合には、図８に示すように、新たなＢラインに沿ったネットワークが構築されるようになっている。すなわち、二人目の直紹介者とは別のＢラインとして新たに位置付けられ、この場合には、例えば、紹介者である会員（あなた）は、それぞれのラインからＢラインのレベルボーナスを受け取ることができるようになる。
【図面の簡単な説明】
【００１５】
【図１】本発明を適用した会員ネットワークのシーダーユニットを示す説明図である。
【図２】シーダーユニットＡ、Ｂが構築された状態を示す説明図である。
【図３】会員ネットワークの広がりを示す説明図である。
【図４】会員に還元されるボーナスを示す説明図である。
【図５】シーダーユニットＡ、Ｂが形成された場合のボーナスを示す説明図である。
【図６】レベルボーナスの一例を示す説明図である。
【図７】ダブルボーナスのシステムを示す説明図であり。
【図８】三人目以降の直紹介者により形成される新たなＢラインのネットワークを示す説明図である。
【図１】
2005044228.tif 000003
【図２】
2005044228.tif 000004
【図３】
2005044228.tif 000005
【図４】
2005044228.tif 000006
【図５】
2005044228.tif 000007
【図６】
2005044228.tif 000008
【図７】
2005044228.tif 000009
【図８】
2005044228.tif 000010